(57)【要約】【課題】  特定の時間帯で細かに稼働状態を把握することができ、遊技客の動向についても把握が容易な遊技場管理装置を提供する。【解決手段】  複数の遊技機を備えた遊技場に設けられ、各前記遊技機の稼働状態データを収集して集計管理する遊技場管理装置であって、前記遊技機ごとに稼働状態データを収集する稼働状態データ収集手段と、収集された稼働状態データから、予め設定された所定の時間帯における稼働開始，稼働終了及び空き時間を判断する判断手段と、この判断手段の判断結果に基づいて、前記所定の時間帯における各遊技機の稼働状態を、稼働開始から稼働終了までの一稼働ごとに区分けし、前記一稼働ごとに前記遊技機の稼働状態に関連する情報を作成する情報作成手段と、この情報作成手段によって作成された前記一稼働ごとの稼働状態関連情報を表示する表示手段とを有する。【選択図】  図２
2006055183.tif 000002
【特許請求の範囲】
【請求項１】
複数の遊技機を備えた遊技場に設けられ、各前記遊技機の稼働状態データを収集して集計管理する遊技場管理装置であって、
前記遊技機ごとに稼働状態データを収集する稼働状態データ収集手段と、
収集された稼働状態データから、予め設定された所定の時間帯における稼働開始，稼働終了及び空き時間を判断する判断手段と、
この判断手段の判断結果に基づいて、前記所定の時間帯における各遊技機の稼働状態を、対となる稼働開始から稼働終了までの一稼働ごとに区分けし、前記一稼働ごとに前記遊技機の稼働状態に関連する情報を作成する情報作成手段と、
この情報作成手段によって作成された前記一稼働ごとの稼働状態関連情報を表示する表示手段と、
を有することを特徴とする遊技場管理装置。
【請求項２】
前記時間帯は、前記遊技場の営業開始から所定時間経過するまでの時間帯であることを特徴とする請求項１に記載の遊技場管理装置。
【請求項３】
前記時間帯には、遊技客の客層が切り替わる一つ又は複数の客層変化時から所定時間が経過するまでの時間帯を含むことを特徴とする請求項２に記載の遊技場管理装置。
【請求項４】
前記表示手段は、前記稼働状態関連情報を遊技機の種類ごとに表示することを特徴とする請求項１〜７のいずれかに記載の遊技場管理装置。
【発明の詳細な説明】
【技術分野】
【０００１】
本発明は、パチンコ機やスロットマシンのように、予め設定された条件になったときに遊技客に有利な特定の遊技状態を発生させる遊技機が多数設置された遊技場の管理装置に関し、特に、遊技機の稼働状態を、特定の時間帯や遊技客ごとの細かな履歴情報とともに提示することのできる遊技場管理装置に関する。
【背景技術】
【０００２】
スロットマシンやパチンコ機などに代表される遊技機が多数設置された遊技場においては、遊技機の稼働状態に関するデータが各遊技機から収集されてホールコンピュータに送信され、このホールコンピュータで遊技機の管理が行われている。
ところで、日頃から大当りが頻繁に発生する遊技機では、多くの遊技客が好んで遊技を行うため、客付が良いという特徴がある。これに対して、日頃から大当りが発生しにくい遊技機は、遊技客に敬遠されやすく、遊技機毎の客付きが悪くなる傾向にある。このように、遊技機の稼働状態に応じて、客付の善し悪しに大きなばらつきが生じている。
客付が悪い遊技機が多くなると、結局、遊技場の売上が増加しなくなるため、各遊技場においては、このような客付き悪い遊技機をホールコンピュータに収集された稼働データを分析して割り出し、釘調整や確率設定調整等の調整を行って、客付が良くなるようにしている（例えば、特許文献１参照）。
【０００３】
しかし、多数の遊技機について客付きを良くすると、払い出す賞球数が多くなって却って遊技場の利益を圧迫するという問題がある。そのため、客付きを良くしつつ遊技場の利益バランスを図ることができるように、遊技場に設置されている遊技機の各々の管理を行うことができる管理装置が種々提案されている（例えば、特許文献２参照）。
特許文献２に記載のパチンコ遊技店の集中管理装置では、大当たり等の所定の遊技状態の発生と関連する情報を遊技店側の集中管理装置に送出するようにして、遊技機毎に大当たりの発生確率を確実に把握できるようにしている。
また、特許文献３に記載の遊技場管理装置では、営業開始後短時間で最初の特定遊技状態が発生する遊技機（立ち上がりの早い遊技機）は、遊技客が少ない投資で利益を得られるため、遊技客に好まれ集客効果も高い点に着目し、遊技場開店後の最初の特定遊技状態の発生状況を容易に認識できるようにしている。
【特許文献１】特開２０００−３１７１２２号
【特許文献２】特開平７−１８５１０９号
【特許文献３】特開２００１−１７７１４号
【０００４】
ところで、一般に、パチンコホール等の遊技場においては、時間帯によって客層が異なる。例えば、開店直後の一時間〜二時間の時間帯は、熱烈なパチンコファンが多く、お昼を過ぎると二時頃までは主婦層が多くなるという傾向にある。また、午後５時を過ぎると、勤め帰りの会社員を中心とした客層が多くなる。特に、パチンコホール等の遊技場においては、平日の開店直後から二時間の遊技客の入りが最も少なく、この時間帯にいかに多くの遊技客を呼び込むかが、ホール経営の上で重要な指針の一つとなる。
そのため、例えば特許文献１及び特許文献３に記載の管理装置では、遊技機の性能調整を行うデータの抽出処理を、開店時から所定のデータ参照時までに行うようにする技術が提案されている。
【０００５】
しかしながら、さらに収益性を向上させるためには、営業開始時から所定の時間内における遊技機の稼働状態を把握するだけではなく、上記したような各客層の動向を的確に把握し、より細やかな調整を行って、より多くの遊技客を遊技場に導くことが、遊技場経営において重要なポイントとなる。そのため、時間帯ごとの客層の違いや、一台の遊技機における遊技客の動向等を視野にいれて、より詳細な稼働状態の情報を取得し、遊技機の管理及び遊技場の運営を行うことが望まれる。
【発明の開示】
【発明が解決しようとする課題】
【０００６】
本発明は上記の問題点に鑑みてなされたもので、遊技場に設置された遊技機について、特定の時間帯で細かに稼働状態を把握することができ、さらに、一台の遊技機における遊技客の動向についても把握が容易で、今まで以上に細かな管理・運営を可能にする遊技場管理装置の提供を目的とする。
【課題を解決するための手段】
【０００７】
上記目的を達成するために、請求項１に記載の発明は、複数の遊技機を備えた遊技場に設けられ、各前記遊技機の稼働状態データを収集して集計管理する遊技場管理装置であって、前記遊技機ごとに稼働状態データを収集する稼働状態データ収集手段と、収集された稼働状態データから、予め設定された所定の時間帯における稼働開始，稼働終了及び空き時間を判断する判断手段と、この判断手段の判断結果に基づいて、前記所定の時間帯における各遊技機の稼働状態を、対となる稼働開始から稼働終了までの一稼働ごとに区分けし、前記一稼働ごとに前記遊技機の稼働状態に関連する稼働状態関連情報を作成する情報作成手段と、この情報作成手段によって作成された前記一稼働ごとの稼働状態関連情報を表示する表示手段とを有する構成としてある。
前記時間帯としては、例えば、請求項２に記載するように、前記時間帯は、前記遊技場の営業開始から所定時間経過するまでの時間帯であってもよいし、この他に、遊技客の客層が切り替わる一つ又は複数の客層変化時から所定時間が経過するまでの時間帯を含んでいてもよい。
【０００８】
この構成によれば、例えば、営業開始から６０分の時間帯の他、客層が切り替わるお昼から二時間の時間帯、平日の勤務時間が終了する時間から一時間又は二時間の時間帯、閉店前二時間の時間帯など、所望の時間帯における稼働状態関連情報を得ることができ、作成された稼働状態関連情報をディスプレイ等の表示手段に表示させることができる。
なお、収集される稼働状態データには、予め設定された時間帯における遊技機ごとの稼働回数、稼働率、大当たり回数、回転率（アウト玉１００個当たりの回転数）、アウト玉数、差玉数、売上げが含まれ、「稼働状態関連情報」には、遊技機又は機種毎の経時的な稼働状態の他に、所定の時間帯における遊技機ごとの平均初回稼働開始時間、平均稼働回数、平均稼働率、平均大当たり回数、平均回転率、平均アウト玉数、平均差玉数、平均売上げ等、遊技機の稼働状態に関するあらゆる情報が含まれる。
【０００９】
前記判断手段は、遊技客がいつ遊技を開始し、いつ遊技を終了したか、その間にどれくらいの遊技を中断したかといった一遊技客の遊技の動向を、例えば、アウト玉の未検出時間がどれくらいであるかや、遊技客の持ち玉の数を推測することにより判断することができる。また、遊技客の遊技開始時間（遊技機の稼動開始時間）と遊技終了時間（遊技機の稼動終了時間）との差を求めることで、所定の時間帯における一稼働あたりの稼働時間を求めることができる。
【００１０】
本発明では、前記の稼働状態に関連する情報は、遊技機毎だけではなく、請求項４に記載するように、同一機種ごとに行うようにしてもよい。このようにすることで、人気機種と不人気機種の判断が容易になり、遊技場における機種入れ替えの目安となる。
なお、上記構成の遊技場管理装置は、ホールコンピュータ等の管理装置に設けるとよいが、上記した稼働状態データ収集手段や判断手段、情報作成手段は、遊技機の各々に対応して設けられた遊技機集計端末や、遊技機に内蔵され、遊技機の動作制御を行う制御装置に組み込んでもよい。
【発明の効果】
【００１１】
本発明によれば、特定の時間帯で細かに稼働状態を把握することができ、例えば開店後所定の時間帯の遊技客の動向についても把握が容易になる。また、機種毎に稼働状態や客付きの状態を把握することが容易になるほか、遊技客ごとの投資金額や稼動単位別の投資金額の把握が容易になり、機種別の比較や、時刻帯別の比較が可能となって、調整や機種入替えの判断を容易に行うことが可能になる。
このように、本発明の遊技場管理装置では、今まで以上に詳細な稼働状態の情報を得ることができ、遊技場経営に必要な判断をより的確かつ迅速に行うことが可能になる。
【発明を実施するための最良の形態】
【００１２】
以下、本発明の好適な一実施形態を、図面を参照しながら詳細に説明する。
図１は、本発明の一実施形態にかかる遊技場管理装置を備えたホール管理装置の全体構成を説明する概略ブロック図である。なお、以下の説明では、遊技機としてパチンコ機を例に挙げて説明するが、本発明はスロットマシン等の他の遊技機にも適用が可能である。
【００１３】
図１に示すように、ホール内には複数台のパチンコ機２２，２２・・・と、このパチンコ機２２，２２・・・の各々に対応して台間に配置され、玉の貸し出しを行う玉貸し機２３，２３・・・とが設けられている。
【００１４】
これらパチンコ機２２，２２・・・及び玉貸し機２３，２３・・・の各々に対応して、パチンコ機２２，２２・・・及び玉貸し機２３，２３・・・からの稼動情報の収集と処理を行うパチンコ機集計端末２１，２１・・・が設けられている。このパチンコ機集計端末２１，２１・・・と遊技場全体の管理を行うホールコンピュータ１０とは、ＬＡＮ等のネットワーク７０によって接続されている。なお、ホールに設置された多数台のパチンコ機２２，２２・・・及び玉貸し機２３，２３・・・を島毎に管理するため、パチンコ機集計端末２１，２１・・・とホールコンピュータ１０との間には島中継装置２４が設置されている。
【００１５】
ホールコンピュータ１０は、パーソナルコンピュータ等に代表される情報処理端末で構成されており、パチンコ機集計端末２１，２１・・・から各遊技機の稼働に関する情報を収集して保存・管理し、さらに加工等を実行する。このホールコンピュータ１０は、遊技ホールの管理者の操作にもとづき、必要な遊技状態関連情報をディスプレイに表示する。
このように、この実施形態では、パチンコ機集計端末２１，２１・・・がパチンコ機２２，２２・・・及び玉貸し機２３，２３・・・の稼働状態データを収集する稼働状態データ収集手段を構成し、ホールコンピュータ１０が、収集された稼働状態データから、稼働開始，稼働終了及び空き時間を判断する判断手段及びパチンコ機２２，２２・・・と玉貸し機２３，２３・・・の稼働状態に関連する情報を作成する情報作成手段を構成する。また、ホールコンピュータ１０のディスプレイが、稼働状態関連情報を表示する表示手段を構成する。
【００１６】
パチンコ機集計端末２１，２１・・・によってパチンコ機２２，２２・・・及び玉貸し機２３，２３・・・から収集されるデータには、予め設定された時間帯における遊技機ごとの稼働回数、稼働率大当たり回数、回転率（アウト玉１００個当たりの回転数）、アウト玉数、差玉数、売上げが含まれ、これらのデータに基づいて作成される稼働状態関連情報には、前記の時間帯における平均初回稼働開始時間、平均稼働回数、平均稼働率、平均大当たり回数、平均回転率、平均アウト玉数、平均差玉数、平均売上げが求められる。
【００１７】
ホールコンピュータ１０は、パチンコ機集計端末２１，２１・・・から送信された上記データから、パチンコ機２２，２２・・・ごとの稼動開始時間、稼動終了時間、中断時間、空き時間を求める。
稼働開始時間は、遊技客が遊技を開始した時間で、開店後に最初にアウト玉が検出されたときの時間や予め設定された時間を超えるアウト玉の未検出時間（空き時間）経過後に最初にアウト玉を検出した時間によって決定される。
【００１８】
稼動終了時間は、当該遊技客が遊技を終了した時間で、例えば、最後にアウト玉を検出してからのアウト玉の未検出時間が予め設定された時間を越えたことを条件に決定することができる。
中断時間は、遊技客が手洗いや食事等のために遊技を一時的に中断した時間で、最後にアウト玉を検出してから次にアウト玉を検出するまでの時間が予め設定された時間（例えば３分）より長いか短いかによって判断することができる。
空き時間は、一台のパチンコ機２２，２２・・・に遊技客が誰も付いていない、いわば待機状態の時間で、前回の稼動終了時間と今回の稼動開始時間との差によって決定される。
【００１９】
上記した稼働開始時間、稼動終了時間、中断時間、空き時間の決定の手順を、図２及び図３のフローチャートを参照しながら、さらに詳細かつ具体的に説明する。
図２は、上記構成のパチンコ機管理装置において稼動開始時間、稼動終了時間、中断時間、空き時間を決定するための一実施形態にかかり、その手順を説明するフローチャートである。
営業開始（スタート）と同時に、パチンコ機集計端末２１はパチンコ機２２に電源が投入されていることを条件に（ステップＳ１）、パチンコ機２２の稼働状態の検出と記録を開始する（ステップＳ２）。
【００２０】
遊技客が、玉貸し機２３を利用して玉を借り受けると、玉貸し出し検出信号が玉貸し機２３からパチンコ機集計端末２１に送信される。この検出信号は、玉貸し出しデータとして、パチンコ機集計端末２１からホールコンピュータ１０に送信され、ホールコンピュータ１０で玉の貸し出しがあったと判断される。なお、このとき、遊技客が玉貸し機に投入した金額及び貸し出した玉の数が、売り上げ（貸し出し）データとしてパチンコ機集計端末２１からホールコンピュータ１０に送信される。また、電源が投入されてから、つまり開店後に最初のアウト玉を検出する（ステップＳ３）までの時間は、当該パチンコ機２２の開店後の空き時間として記録される（ステップＳ４）。
【００２１】
最初のアウト玉が検出されたときは、その時間を、当該パチンコ機２２の稼動開始時間として決定する（ステップＳ５）。
【００２２】
パチンコ機集計端末２１は、アウト玉の検出を常に監視し、今回アウト玉を検出してから次にアウト玉を検出するまでの時間をカウントする。カウントされた時間は、ホールコンピュータ１０に送信され、カウントされた時間と予め設定された時間（例えば３分）との比較が行われ、カウントされた時間が予め設定された時間を越えるか否かが判断される（ステップＳ６）。
【００２３】
今回アウト玉が検出されてから次にアウト玉が検出されるまでの経過時間が、予め設定された時間を越えないときは、その経過時間を同一の遊技客の一時的な中座による中断時間と決定する（ステップＳ７）。
また、今回アウト玉が検出されてから次のアウト玉検出がないままに経過した時間が、予め設定された前記の時間を経過した後、予め設定した時間内にアウト玉を検出したこと（ステップＳ８）を条件に、遊技客が交替したと判断する（ステップＳ９）。
【００２４】
そして、直前にアウト玉を検出した時間を、前の遊技客の稼動終了時間とし決定するとともに、次にアウト玉が検出された時間を次の遊技客の稼動開始時間と決定し、この稼動開始時間と稼動終了時間との間の時間を、このパチンコ機２２の空き時間と決定する（ステップＳ９）。
以後、ステップＳ６〜ステップＳ９の手順を繰り返す。
【００２５】
図３は、稼動開始時間、稼動終了時間、中断時間、空き時間を決定する他の実施形態にかかり、その手順を説明するフローチャートである。なお、図３のフローチャートにおいて、ステップＳ１〜Ｓ５の手順及びステップＳ６〜Ｓ７の手順は、図２のフローチャートと同じであるから、図示及び説明を省略する。
【００２６】
この実施形態では、遊技客が遊技を終えるのは、手持ちの玉数が０になったときか、手持ちの玉数が一定数以上になったときであるとの推測から、予め設定された第一の設定時間（例えば２分）のアウト玉未検出時間が経過した後に、それまでパチンコ機２２で遊技をしていた遊技客の手持ちの玉数を求めることで、次の遊技開始がそれまでの遊技客と同一の遊技客によるものなのか、異なる遊技客によるものなのかを判断するようにしている。
【００２７】
すなわち、この実施形態では、ステップＳ６で未稼働の状態が予め設定された前記第一の設定時間を越えて継続していると判断した場合に、それまで投入した玉数とアウトになった玉数及び賞球数との差分を求め（ステップＳ１０）、この差分が予め設定された値よりも大きいとき又は差分が０又は０近傍の予め設定した範囲内であるときに、それまでの遊技客が遊技を終了したと判断するようにしている（ステップＳ１１）。
【００２８】
遊技が終了したと判断した場合は、図２の場合と同様に、直前にアウト玉を検出した時間を前の遊技客の稼動終了時間とし決定するとともに、次にアウト玉が検出された時間を次の遊技客の稼動開始時間と決定し、この稼動開始時間と稼動終了時間との間の時間を、このパチンコ機２２の空き時間として決定する。
なお、遊技客の手持ちが上記以外の場合には、同一の遊技客の一時的な中断と判断して（ステップＳ１２）、次にアウト玉が検出されるまで待機し、次のアウト玉が検出されるまでの経過時間を中断時間と決定する。この場合、ステップＳ１３に示すように、次にアウト玉が検出されるまでの時間が予め設定された第二の設定時間（例えば５分）を越えたかどうかを判断し、この時間を超えてもアウト玉が検出されない場合には、当該遊技客による遊技が終了したと判断する（ステップＳ１１）ようにしてもよい。第二の設定時間を越えないで次のアウト玉が検出されたときには、同一遊技客による中断時間と判断する（ステップＳ７）。
【００２９】
上記手順によってホールコンピュータ１０で処理され、ディスプレイ等に表示されるデータの一例を、図４及び図５に示す。
図４は、開店後所定の時間（例えば６０分）内における各パチンコ機の稼動状況を示すタイムチャート図である。
【００３０】
図４のタイムチャートには、台番ごとに客付きの有無、遊技客ごとの遊技開始時間及び遊技終了時間、遊技中における入賞の有無及び入賞時間、同一遊技客における中断の有無及び中断時間、先の遊技客の遊技終了から次の遊技客が遊技を開始するまでの空き時間が表示される。
図中の実線の一つ一つが遊技客による遊技（遊技機の一稼働）状態を示し、この実線の左端の黒丸が一遊技客によるパチンコ機２２の遊技開始を、右端の白丸が前記遊技客による遊技終了を示している。
【００３１】
また、実線上の塗りつぶし部分（符号ａで示す部分）は、大当たり等の入賞状態を示し、実線右端の白丸と黒丸の間の空間（符号ｂで示す部分）は、遊技客がついていない非稼働状態（空き時間）を示している。さらに、実線上で部分的に区切られた部分（符号ｃで示す）は、遊技客の中座による一時的な稼働の中断を示している。
【００３２】
図４のタイムチャートに示す例では、１番〜５番のパチンコ機２２のうち、４番を除くパチンコ機２２について開店後すぐに遊技客が付き、人気の台であることがわかる。
そして、台番１のパチンコ機２２においては、１５分ほどの間に複数回（三回）の入賞が断続的に発生している。この遊技客は、三度目の入賞終了後に遊技を終了しているが、すぐに次の遊技客が台番１のパチンコ機２２で遊技を開始している。
台番２のパチンコ機２２では、比較的短時間で複数の遊技客が入れ替わっているが、このパチンコ機２２では、開店後６０分の間に入賞等は発生していない。
【００３３】
台番３のパチンコ機２２では、一人の遊技客が開店直後から６０分を越えて遊技を続けている。この間、この遊技客は、２〜３分程度の遊技の中断を複数回行っている。
また、台番４のパチンコ機２２では、開店直後数十分が経過しても遊技客が付かず、客付きの悪い台であることがわかる。開店後２０分を経過したときに、漸く一人の遊技客が遊技を開始するが、入賞等も発生することがなく、１５分程度の短時間で遊技を終えている。
このように、本発明の管理装置によれば、単にパチンコ機２２ごとの稼働状態が容易に判断できるだけでなく、任意の時間帯の稼働状態や、一台の遊技機における遊技客の動向を容易に把握することができる。
【００３４】
本発明においては、ホール内に設置された複数種類のパチンコ機２２について、機種毎に稼働状態のデータをディスプレイ等に表示させて比較を行うことが可能である。
図５は、機種別の稼働状態のデータを一覧表として表示させた例を示すもので、機種Ａ，Ｂ，Ｃ・・・ごとに、平均稼働時間、平均稼動開始時間（時刻）、平均稼動終了時間（時刻）、平均売上金額、特賞率（特賞が発生した比率）、回転率（スタート回数／アウト玉数／１００）、特賞区間を除く平均差玉数等が一覧表に比較表示される。
この一覧表によれば、人気機種、ホールに取って利益率の高い機種を容易に判断することができ、新機種入れ替え等の判断が容易になる。
【００３５】
本発明の好適な実施形態について説明したが、本発明は上記の説明に限定されるものではない。
例えば、上記の説明では、パチンコ機２２の各々に対応して設けられたパチンコ機管理装置が、パチンコ機からデータの収集を行い、稼働開始時間及び終了時間、中断時間、空き時間、遊技客の交替等の判断をホールコンピュータが行うようにしているが、ホールコンピュータ１０がデータの収集及び判断を行うようにしてもよく、また、パチンコ機管理装置が、パチンコ機の各々についてこれらの判断を行うようにしてもよい。さらに、遊技場管理装置をホールコンピュータやパチンコ機管理装置とは別体に設けてもよい。
【００３６】
また、上記の説明では、所定の時間帯として開店後６０分の時間帯を例に挙げて説明したが、本発明の遊技場管理装置は任意の時間帯を設定して稼働状態の履歴を知ることができ、例えば、客層に主婦が多くなる昼過ぎ二時間の時間帯や、会社員が多くなる午後五時から二時間の時間帯を選択することができる。
【産業上の利用可能性】
【００３７】
本発明は、予め定められた遊技状態になったときに遊技客に有利な特定遊技状態を発生させる遊技機であればスロットマシンや他のゲーム機などにも適用が可能である。
【図面の簡単な説明】
【００３８】
【図１】本発明の一実施形態にかかる遊技場管理装置を備えたホール管理装置の全体構成を説明する概略ブロック図である。
【図２】図１及び図２に示すパチンコ機管理装置における稼動開始時間、中断時間、空き時間、遊技客の交替を判断する手順の一実施形態にかかり、判断手順を説明するフローチャートである。
【図３】稼動開始時間、中断時間、空き時間、遊技客の交替を判断する手順の他の実施形態を説明するフローチャートである。
【図４】開店後所定の時間（例えば６０分）内における各パチンコ機の稼動状態を示すタイムチャート図である。
【図５】機種別の稼働状態のデータを一覧表として表示させた例を示すものである。
【符号の説明】
【００３９】
１０  ホールコンピュータ（判断手段、情報作成手段）
２１  パチンコ機集計端末（稼働状態データ収集手段）
２２  パチンコ機
２３  玉貸し機
７０  ネットワーク
【図１】
2006055183.tif 000003
【図２】
2006055183.tif 000004
【図３】
2006055183.tif 000005
【図４】
2006055183.tif 000006
【図５】
2006055183.tif 000007